【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
入力光路と出力光路との間の光路長を変化させる光路長調整装置であって、
前記光路長調整装置は、
光路に沿って交互に配された複数の第１の光学素子および複数の第２の光学素子であって、前記各第１の光学素子が、当該各第１の光学素子を通過する光ビームの偏光状態を決定し、前記各第２の光学素子が、当該各第２の光学素子に入射する光ビームを、入射した光ビームの選択された偏光状態に依存して、選択的に透過又は反射する、複数の第１の光学素子および複数の第２の光学素子を有し、
入力ビームが前記光路を進むときの前記光路長は、入力ビームの反射を生じさせる特定の第２の光学素子を選択することによって、変更することができ、前記反射した入力ビームは前記出力光路に現れる、光路長調整装置。
【請求項２】
前記光路長調製装置は、各隣接する第１の光学素子と第２の光学素子との間に間隔を有している、請求項１の光路長調整装置。
【請求項３】
複数の前記間隔は、前記光路に必要な前記光路長に依存して、異なる厚さを有する、請求項２に記載の光路長調整装置。
【請求項４】
複数の前記間隔は、スペース媒体によって占められている、請求項２又は３に記載の光路長調整装置。
【請求項５】
複数の前記スペース媒体は、前記光路に必要な前記光路長に依存して、異なる屈折率を有する、請求項４に記載の光路長調整装置。
【請求項６】
複数の前記スペース媒体はガラス基板を有する、請求項４又は５に記載の光路長調整装置。
【請求項７】
前記複数の第１の光学素子および前記複数の第２の光学素子は、積層されたスタック構造に配されている、請求項１〜６のうちのいずれか一項に記載の光路長調整装置。
【請求項８】
前記第１の光学素子は、前記第１の光学素子を通過する光ビームの偏光状態を変化させることができる偏光スイッチを有する、請求項１又は７に記載の光路長調整装置。
【請求項９】
前記偏光スイッチはガラス基板によって支持されている、請求項８に記載の光路長調整装置。
【請求項１０】
前記偏光スイッチは液晶セルである、請求項８に記載の光路長調整装置。
【請求項１１】
前記第２の光学素子はワイヤグリッド偏光子を有する、請求項１又は８に記載の光路長調整装置。
【請求項１２】
前記ワイヤグリッド偏光子はガラス基板によって支持されている、請求項１１に記載の光路長調整装置。
【請求項１３】
前記第２の光学素子はコレステリック偏光子を有する、請求項１又は８に記載の光路長調整装置。
【請求項１４】
前記コレステリック偏光子はガラス基板に支持されている、請求項１３に記載の光路長調整装置。
【請求項１５】
連続するワイヤグリッド偏光子は平行な面を有するように構成されるとともに、前記連続するワイヤグリッド偏光子は、ワイヤの方向が、すぐ前のワイヤグリッド偏光子のワイヤの方向に直交するように構成される、請求項１１又は１２に記載の光路長調整装置。
【請求項１６】
前記入力ビームは、前記スタック構造の表面層を通じて前記スタック構造に入射し、
前記表面層は、前記第１の光学素子である、請求項７に記載の光路長調整装置。
【請求項１７】
前記スタック構造は、反射性のみを有するベース層を備えている、請求項１６に記載の光路長調整装置。
【請求項１８】
前記ベース層は平面鏡である、請求項１７に記載の光路長調整装置。
【請求項１９】
前記表面層を通じて出力ビームが前記スタック構造を出射し、前記出力ビームは、選択された第２の光学素子又は前記ベース層での反射から生じる、請求項１７に記載の光路長調整装置。
【請求項２０】
連続して続く第２の光学素子の間の間隔が、前記光路の可能な光路長を決定する、請求項１に記載の光路長調整装置。
【請求項２１】
請求項１〜２０のうちのいずれか一項に記載の光路長調整装置と同一構造の少なくとも一つの他の光路調整装置にカスケード構造で結合された請求項１〜２０のうちのいずれか一項に記載の光路長調整装置であって、
第１の光路長調整装置の出力光路が、次の前記他の光路長調整装置の入力光路を形成する、請求項１〜２０のうちのいずれか一項に記載の光路長調整装置。
【請求項２２】
三次元ボリュメトリック画像を生成する表示装置であって、
前記表示装置は、
二次元画像を生成する二次元画像表示パネル、
前記二次元画像を画像ボリュームの虚像に投影する第１の合焦素子、および
前記画像ボリューム内の前記虚像の位置が変化するように前記二次元画像表示パネルと前記投影する第１の合焦素子との間の有効光路長を変化させる手段であって、請求項１〜１９のうちのいずれか一項に記載の光路長調整装置を有する有効光路長を変化させる手段、
を有する、表示装置。
【請求項２３】
光路長調整装置の入力光路と出力光路との間の光路長を変化させる方法であって、
前記方法は、
光の入力ビームを前記入力光路に供給し、光路に沿って交互に配された複数の第１の光学素子および複数の第２の光学素子に前記入力ビームを伝えるステップ、
前記入力ビームが通過する各第１の光学素子における前記入力ビームの偏光状態を決定するステップ、および
前記入力ビームが入射する各第２の光学素子において、前記入射した入力ビームの選択された偏光状態に依存して、前記入力ビームを透過又は反射するステップ、
を有し、
前記入力ビームが前記光路を進むときの前記光路長は、前記入力ビームの反射を生じさせる特定の第２の光学素子を選択することによって、変更することができ、前記反射した入力ビームは前記出力光路に現れる、方法。
【請求項２４】
前記決定するステップは、前記入力ビームの偏光状態を、好ましい偏光状態が選択されるように変化させる又は維持する、請求項２３に記載の方法。
【請求項２５】
前記入力ビームの偏光状態は、前記第１の光学素子の偏光スイッチが或る偏光状態から別の偏光状態に切り替わることによって、変化する、請求項２４に記載の方法。
【請求項２６】
前記入力ビームが入射する各第２の光学素子に対して、好ましい偏光状態は、各特定の第２の光学素子が透過又は反射を行う偏光状態に対応するように、選択される、請求項２４に記載の方法。
【請求項２７】
前記第２の光学素子はワイヤグリッド偏光子を有しており、前記好ましい偏光状態は、前記入力ビームを反射する場合はワイヤの方向に平行になるように選択され、前記入力ビームを透過する場合はワイヤの方向に直交になるように選択される、請求項２３に記載の方法。
【請求項２８】
連続する第２の光学素子は、前記ワイヤグリッド偏光子のワイヤの方向がすぐ前のワイヤグリッド偏光子のワイヤの方向に直交するように配される、請求項２７に記載の方法。
【請求項２９】
前記光路長は、少なくとも、前記入力ビームを透過する第２の光学素子の数と、第２の光学素子の間の間隔と、に依存する、請求項２３〜２８のうちのいずれか一項に記載の方法。
【請求項３０】
前記複数の第１の光学素子と前記複数の第２の光学素子とを交互に配するステップが、積層されたスタック構造を作り、
前記スタック構造は、第１の光学素子に対応する表面層と、反射のみを行うベース層と、を有する、請求項２３〜２９のうちのいずれか一項に記載の方法。
【請求項３１】
前記交互に配するステップは、複数の層が互いに接触するように前記複数の層を配する、又は前記複数の層を間隔をあけて保持する、請求項３０に記載の方法。
【請求項３２】
前記光路長は、少なくとも、前記入力ビームを反射するために選択される前記特定の第２の光学素子を有する前記スタック構造の中の層の位置に依存する、請求項３０に記載の方法。
【請求項３３】
前記複数の第２の光学素子の各々が前記入力ビームを透過する場合、前記入力ビームは前記ベース層で反射する、請求項３０に記載の方法。
【請求項３４】
前記出力光路からの光を下流の光路長調整装置の入力光路に伝えるステップと、前記光路長を調整するステップを繰り返すステップと、を更に有する、請求項２３〜３３のうちのいずれか一項に記載の方法。
【請求項３５】
前記各光路長調整装置内において異なる光路長を選択するステップを更に有する、請求項３４に記載の方法。
【請求項３６】
三次元ボリュメトリック画像を生成する方法であって、
前記方法は、
二次元画像表示パネルに二次元画像を生成するステップ、
第１の合焦素子で前記二次元画像を画像ボリューム内の虚像に投影するステップ、および
請求項３１〜３３のうちのいずれか一項に記載の方法によって、前記画像ボリューム内の前記虚像の位置が変わるように、前記二次元画像表示パネルと前記投影する第１の合焦素子との間の光路長を変更するステップ、
を有する方法。